(57)【要約】      （修正有）【課題】自動販売機での商品購入者に対して、購入された商品の他にサービスとして占い又はおみくじを提供するものであって、実用性・汎用性（普及性）に優れた自動販売機を提供する。【解決手段】自動販売機１０は、自動販売機用占い・おみくじ装置（占い・おみくじ装置）を備えている。占い・おみくじ装置は、商品購入者による飲料水１１の選択及び料金の精算終了の信号を受信すると、提供する占い又はおみくじの種類を商品購入者が選択可能となるタッチパネル部３０と、タッチパネル部３０から選択された占い又はおみくじの種類とその選択された日時データから占い・おみくじデータベースに基づいて占い又はおみくじの結果を紙出力するモバイルプリンター部４０とを備えることで、自動販売機１０の飲料水１１の購入者に対して、購入された飲料水１１の他にサービスとして占い又はおみくじ５０を提供できる。【選択図】図１
0003147990.tif 000002
【実用新案登録請求の範囲】
【請求項１】
自動販売機での商品購入者に対して、購入された商品の他にサービスとして占い又はおみくじを提供する自動販売機用占い・おみくじ装置であって、
商品購入者による購入商品の選択及び料金の精算終了の信号を受信すると、提供する占い又はおみくじの種類を商品購入者が選択可能となるタッチパネル部と、
タッチパネル部から選択された占い又はおみくじの種類とその選択された日時データから占い・おみくじデータベースに基づいて占い又はおみくじの結果を紙出力するモバイルプリンター部と、
を備えたことを特徴とする自動販売機用占い・おみくじ装置。
【請求項２】
占い・おみくじデータベースは、モバイルプリンター部に挿入可能な記録媒体に記録されたことを特徴とする請求項１記載の自動販売機用占い・おみくじ装置。
【請求項３】
モバイルプリンター部は、提供された占い・おみくじの数をカウントするカウンター機能を備えたことを特徴とする請求項１又は２記載の自動販売機用占い・おみくじ装置。
【請求項４】
請求項１から３のいずれかに記載の自動販売機用占い・おみくじ装置を自動販売機に備えたことを特徴とする占い・おみくじ機能付き自動販売機。
【請求項５】
自動販売機用占い・おみくじ装置のタッチパネル部を自動販売機の外側に、同モバイルプリンター部を自動販売機の内側にそれぞれ備えたことを特徴とする請求項４記載の占い・おみくじ機能付き自動販売機。
【考案の詳細な説明】
【技術分野】
【０００１】
本願考案は、自動販売機での商品購入者に対して、購入された商品の他にサービスとして占い又はおみくじを提供する自動販売機関連技術に関するものである。
【背景技術】
【０００２】
従来、「占い又はおみくじ」と「自動販売機」を組み合わせた先行技術としては、以下のようなものがあった。
特許文献１には、占い又はおみくじの提供を目的とした自動販売機が開示されている。
特許文献２には、自動販売機に新たな機能を付加し、商品の販売促進を図ることを目的として、物品払出し装置の本体に、選択ボタン、制御機、占いカードを１２種の星座に分けて収容する１２個のストッカ、選別機、および繰出機を設けて、この物品払出し装置を自動販売機に接続し、自動販売機で商品を購入した利用者が、一定時間のみ選択ボタンを操作できるようにする。利用者が、例えば乙女座の選択ボタンを押すと、選別機により乙女座の占いカードがストッカから取出される。取出された占いカードは、繰出機により排出口から払出される自動販売機が開示されている。
特許文献３には、自動販売機の飲料容器（ジュース缶）に占い又はおみくじの記載された占い・おみくじ欄を備えたものが開示されている。
【０００３】
【特許文献１】特開２００３−６７３５号公報
【特許文献２】実用新案登録第３０２９０８５号公報
【特許文献３】実開平１−６８５７５号公報
【考案の開示】
【考案が解決しようとする課題】
【０００４】
しかしながら、上記特許文献１は、占い又はおみくじの提供を目的とした自動販売機であり、購入された商品（例えば、缶コーヒー・たばこ等）の他にサービスとして占い又はおみくじを提供する自動販売機ではない。
これに対して、上記特許文献２は、購入された商品の他にサービスとして星占いカードを提供する自動販売機が開示されているが、装置が大掛かりなものであり（外付装置）、既存の自動販売機に簡単に設置できるものではなく、実用性・汎用性（普及性）に疑問がある。
一方、上記特許文献３は、購入された飲料水の容器（ジュース缶）にサービスとして占い又はおみくじを提供する自動販売機が開示されており、飲料容器を変更するだけで容易に実現可能なものであるが、くじ・占い文等の表記された飲料容器をわざわざ用意しなければならず、その意味で実用性・汎用性（普及性）に疑問がある。
【０００５】
そこで、本願考案は、自動販売機での商品購入者に対して、購入された商品の他にサービスとして占い又はおみくじを提供するものであって、実用性・汎用性（普及性）に優れた自動販売機関連技術の提供を目的とするものである。なお、本願考案の基礎となる技術については、既に実用新案登録出願中である。
【課題を解決するための手段】
【０００６】
上記目的を達成するために、第１の考案は、自動販売機での商品購入者に対して、購入された商品の他にサービスとして占い又はおみくじを提供する自動販売機用占い・おみくじ装置であって、商品購入者による購入商品の選択及び料金の精算終了の信号を受信すると、提供する占い又はおみくじの種類を商品購入者が選択可能となるタッチパネル部と、タッチパネル部から選択された占い又はおみくじの種類とその選択された日時データから占い・おみくじデータベースに基づいて占い又はおみくじの結果を紙出力するモバイルプリンター部と、を備えたことを特徴とするものである。
ここで、「占い又はおみくじ」には、格言・金言などの有益な文言等も含まれる。
第２の考案は、占い・おみくじデータベースは、モバイルプリンター部に挿入可能な記録媒体に記録されたことを特徴とする同自動販売機用占い・おみくじ装置である。
第３の考案は、モバイルプリンター部は、提供された占い・おみくじの数をカウントするカウンター機能を備えたことを特徴とする同自動販売機用占い・おみくじ装置である。
第４の考案は、上記第１から第３の自動販売機用占い・おみくじ装置を自動販売機に備えたことを特徴とする占い・おみくじ機能付き自動販売機である。
第５の考案は、自動販売機用占い・おみくじ装置のタッチパネル部を自動販売機の外側に、同モバイルプリンター部を自動販売機の内側にそれぞれ備えたことを特徴とする同占い・おみくじ機能付き自動販売機である。
【考案の効果】
【０００７】
本願考案によれば、以下のような効果を有する。
（１）本願考案に係る自動販売機用占い・おみくじ装置は、タッチパネル部とモバイルプリンター部とを備えた構造であるため、自動販売機での商品購入者にとって操作が容易で、また、占い・おみくじの作成コストを低減できる。
（２）占い・おみくじデータベースをモバイルプリンター部に挿入可能な記録媒体に記録させたものを使用することで、同データベースの差し替えが極めて容易となる。
（３）モバイルプリンター部が提供された占い・おみくじの数をカウントするカウンター機能を備えたことで、占い・おみくじの提供数を容易に管理・把握できる。
（４）本願考案に係る自動販売機用占い・おみくじ装置を既存の自動販売機へ取り付けたことで、この占い又はおみくじを目当てにした自動販売機の利用が想定され、自動販売機に対する有力な販売促進手段になる。
【考案を実施するための最良の形態】
【０００８】
本願考案の実施形態を図面に基づいて説明する。
図１は、本願考案に係る自動販売機を示す説明図であり、図２は、本願考案に係る自動販売機用占い・おみくじ装置を示す説明図である。
図１に示す自動販売機１０は、飲料水１１を販売しているものであり、購入する飲料水を選択する選択ボタン１２と、硬貨投入口１３並びに紙幣投入口１４と、商品取出口１５と、つり銭取出口１６とを備えているごく一般的な自動販売機である。なお、自動販売機１０は、飲料水１１の販売機に限らず、例えば、タバコの自動販売機、酒類の自動販売機等特にその販売品を限定するものではない。また、自動販売機１０には、現金の他にＩＣカード等の電子マネーで決済できる付加機能が付いたものであってもよい。
【０００９】
そして、この自動販売機１０は、図２に示す自動販売機用占い・おみくじ装置（以下「占い・おみくじ装置」）２０を備えている。占い・おみくじ装置２０は、商品購入者による飲料水１１の選択及び料金の精算終了の信号を受信すると、提供する占い又はおみくじの種類を商品購入者が選択可能となるタッチパネル部３０と、タッチパネル部３０から選択された占い又はおみくじの種類とその選択された日時データから占い・おみくじデータベースに基づいて占い又はおみくじの結果を紙出力するモバイルプリンター部４０とを備えることで、自動販売機１０の飲料水１１の購入者に対して、購入された飲料水１１の他にサービスとして占い又はおみくじ５０を提供できる。
【００１０】
占い・おみくじ装置２０のタッチパネル部３０は、自動販売機１０の前面に取り付けて商品購入者が占い又はおみくじの種類をタッチパネル方式で選択できるようになっている。例えば、タッチパネル部のモニターに「血液型占い」「星占い」「干支」「おみくじ」「格言・金言」などの占い又はおみくじの種類（項目）が表示されて、この表示から商品購入者が自由に選択できる。そして、商品購入者が「血液型占い」を選択すると、次に「Ａ型」「Ｂ型」「Ｏ型」「ＡＢ型」と血液型が表示されて、商品購入者が血液型「Ａ型」を選択し、その選択したデータ（占い・おみくじ選択データ）がモバイルプリンター部４０へ送信される。商品購入者に必要な操作は以上であり、操作が極めて容易で、お年寄りでも操作が可能である。必要であれば、音声による操作案内を付けても良い。
【００１１】
占い・おみくじ装置２０のモバイルプリンター部４０は、タッチパネル部３０から送信された「占い・おみくじ選択データ（血液型占い＊Ａ型）」を受信するとともに、モバイルプリンター部４０の内蔵カレンダー時計から「日時データ（２００８年１１月○日）」を取得する。そして、占い・おみくじデータベース４１の中からこの「占い・おみくじ選択データ」及び「日時データ」に基づいて、血液型占いの結果を抽出する。抽出した血液型占いの結果は、モバイルプリンター部４０から「占い５０」として紙出力される。
【００１２】
ここで、占い・おみくじデータベース４１は、モバイルプリンター部４０に挿入可能な記録媒体４９（メモリーカード等）に記録されたものであるとよい。占い・おみくじデータの更新や変更が必要となった場合に、新たな占い・おみくじデータベースを記録させた記録媒体４９を挿入するだけで、簡単に占い・おみくじデータベース４１の差し替えが可能になるからである。
また、占い・おみくじの結果は、その都度モバイルプリンター部４０から「占い又はおみくじ５０」として紙出力されるので、紙の占い又はおみくじを予め用意しておく必要が無く、在庫・品切れの心配もほとんど無く、また、低コストで提供できる。
さらに、モバイルプリンター部４０に提供された占い・おみくじの数をカウントするカウンター機能を備えることで、占い・おみくじの提供数を容易に管理・把握でき、コンテンツ（占い・おみくじの種類）を変更・追加等の重要な資料ともなる。
【００１３】
なお、占い・おみくじ装置２０のタッチパネル部３０は、飲料水購入者により購入飲料水の選択及び料金の精算終了の信号を受信するのではなく、自動販売機１０が飲料水購入者へ購入飲料水を提供（商品取出口１５へ排出）した信号を受信するものであってもよい。要するに、タッチパネル部３０は、飲料水購入者が自動販売機１０から飲料水を購入した情報を受信できればよい。
【００１４】
また、占い・おみくじの類は、老若男女問わず人気のコンテンツであり、この占い又はおみくじを目当てにした自動販売機１０の利用が想定され、自動販売機１０に対する有力な販売促進手段になる。特に、この占い又はおみくじ３０を１日単位のものにすることで、この占い又はおみくじを目当てに毎日自動販売機１０を利用するリピーターが想定され、自動販売機１０に対する極めて有力な販売促進手段になる。
【産業上の利用可能性】
【００１５】
本願考案に係る自動販売機用占い・おみくじ装置は、各種自動販売機の販売促進手段として幅広く利用できるものである。ここで、自動販売機で販売される商品の種類は問わず、また、商品とともに提供される占い・おみくじの内容・種類も問わない。
【図面の簡単な説明】
【００１６】
【図１】本願考案に係る自動販売機を示す説明図。
【図２】本願考案に係る自動販売機用占い・おみくじ装置を示す説明図。
【符号の説明】
【００１７】
１０  自動販売機
１１  飲料水
１２  選択ボタン
１３  硬貨投入口
１４  紙幣投入口
１５  商品取出口
１６  つり銭取出口
２０  自動販売機用占い・おみくじ装置（占い・おみくじ装置）
３０  タッチパネル部
４０  モバイルプリンター部
４１  占い・おみくじデータベース
４９  記録媒体
５０  占い又はおみくじ
【図１】
0003147990.tif 000003
【図２】
0003147990.tif 000004